(57)【要約】早送り再生要求または早戻し再生要求を受信すると、メモリから読み出され再生された情報がディスクに記憶されていた再生位置近傍を光学ピックアップの移動先として目標アドレスの演算を行い、前記目標アドレスへ光学ピックアップを移動させることを特徴とする。
2008152762.tif 000002
【特許請求の範囲】
【請求項１】
光学ピックアップにより読み出された情報を一旦メモリに記憶し、前記メモリに記憶された情報を読み出して再生するディスク再生装置において、
前記光学ピックアップで読み出された情報の復号を行う信号復号手段と、
早送り再生要求または早戻し再生要求を受信するサーチ制御手段と、
前記サーチ制御手段が、前記いずれかの要求を受信した場合、前記メモリから読み出され再生された情報が前記ディスクに記憶されていた位置の近傍を前記光学ピックアップの移動先として演算を行うサーチ目標演算手段と、
前記光学ピックアップを駆動するサーボの制御を行うディスク制御手段とを備え、
前記サーチ制御手段は、前記サーチ目標演算手段で演算された結果に基づき、前記ディスク制御手段へ前記光学ピックアップの移動を指示することを特徴とするディスク再生装置。
【請求項２】
前記サーチ目標演算手段は、前記サーチ制御手段が早送り再生要求を受信した場合、前記メモリから読み出され再生された情報が前記ディスクに記憶されていた位置の手前の位置を前記光学ピックアップの移動先として演算を行うことを特徴とする請求項１記載のディスク再生装置。
【請求項３】
前記サーチ目標演算手段は、前記サーチ制御手段が早戻し再生要求を受信した場合、前記メモリから読み出され再生された情報が前記ディスクに記憶されていた位置を越えた位置を前記光学ピックアップの移動先として演算を行うことを特徴とする請求項１記載のディスク再生装置。
【請求項４】
光学ピックアップにより読み出された情報を一旦メモリに記憶し、前記メモリに記憶された情報を読み出して再生するディスク再生装置において、
前記光学ピックアップで読み出された情報の復号を行う信号復号手段と、
早送り再生解除要求または早戻し再生解除要求を受信するサーチ制御手段と、
前記サーチ制御手段が、前記いずれかの要求を受信した場合、前記要求の受信時に前記メモリから読み出され再生された情報が前記ディスクに記憶されていた位置から進んだ近傍位置を前記光学ピックアップの移動先として演算を行うサーチ目標演算手段と、
前記光学ピックアップを駆動するサーボの制御を行うディスク制御手段とを備え、
前記サーチ制御手段は、前記サーチ目標演算手段で演算された結果に基づき、前記ディスク制御手段へ前記光学ピックアップの移動を指示することを特徴とするディスク再生装置。
【発明の詳細な説明】
【技術分野】
【０００１】
この発明は、音とび防止機能を備えたディスク再生装置に関する。
【背景技術】
【０００２】
従来のディスク再生装置は、装置の小型化や収容ディスクの多数枚化に伴う防振系の簡略化に起因するディスク再生時における音とびを防止するために、光学ピックアップによりディスクから読み出した情報を一旦外部メモリに記憶し、外部メモリに記憶した情報を読み出して再生するようにしている。このため、光学ピックアップがディスクに記憶された情報を読み取っている位置（以下、ピックアップ位置と記載）と、外部メモリから読み出され再生されている情報が前記ディスクに記憶されている位置（以下、再生位置と記載）とが異なり、ディスク再生時に早送り再生または早戻し再生の要求があると、一度光学ピックアップの位置を再生位置へ戻してから、早送り再生または早戻し再生の処理を開始する必要があった。【０００３】
以下その動作について説明する。
図４は、従来の音とび防止機能を備えたディスク再生装置の早送り（早戻し）再生処理時の動作を示したフローチャートである。従来のディスク再生装置は、ユーザにより早送り再生または早戻し再生が要求されると、光学ピックアップの移動先を再生位置へ設定する（ステップＳＴ３０１）。次に、ディスク再生装置は、再生中の音声にミュート設定を行い（ステップＳＴ３０３）、外部メモリに記憶された情報を消去（クリア）する（ステップＳＴ３０４）。次に、ディスク再生装置は、移動先として設定した再生位置へ光学ピックアップを移動（サーチ）させ（ステップＳＴ３０５）、移動完了後にディスクに記憶された情報を読み取り外部メモリに書き込んで記憶する（ステップＳＴ３０６）。【０００４】
次に、前記外部メモリに記憶された情報を読み出し（ステップＳＴ３０７）、音声のミュート設定を解除して音声を出力すると共に時間情報を出力する（ステップＳＴ３０８）。つぎに、早送り再生が要求された場合は、再生位置から一定時間進めた位置に光学ピックアップの移動先を設定し、早戻し再生が要求された場合は、再生位置から一定時間戻った位置に光学ピックアップの移動先を設定する（ステップＳＴ３０９）。ここで、ステップＳＴ３０２とステップＳＴ３１０は、早送り再生または早戻し再生処理のループ端であり、早送り再生または早戻し再生が解除されない限り、ディスク再生装置は、ステップＳＴ３０２からステップＳＴ３１０までの処理を繰り返す。【０００５】
図５は、従来の音とび防止機能を備えたディスク再生装置の早送り（戻し）再生解除時の動作を示したフローチャートである。早送り再生または早戻し再生処理中に、早送り再生または早戻し再生の解除が要求されると、音声のミュート設定を行い（ステップＳＴ４０１）、外部メモリに記憶された情報を消去（クリア）する（ステップＳＴ４０２）。次に、ディスク再生装置は、移動先として設定された位置へ光学ピックアップを移動させ（ステップＳＴ４０３）、移動完了後にディスクに記憶された情報を読み取り外部メモリに書き込んで記憶する（ステップＳＴ４０４）。次に、ディスク再生装置は、前記外部メモリに記憶された情報を読み出し（ステップＳＴ４０５）、音声のミュート設定を解除して音声を出力すると共に時間情報を出力して（ステップＳＴ４０６）、通常の音声再生処理に復帰する。【０００６】
また、従来のディスク再生装置には、ディスクから情報の読み出しに失敗すると、音声のミュートを設定し、読み取り可能な位置まで光学ピックアップを移動（サーチ）して、再生可能な位置から再度、情報の読み出しを行うようにしているが、前記サーチ中は、音声が出力されず、再生時間表示も更新されないため、ユーザが再生状況を把握できないという課題があった。このため、ディスクから情報の読み出しに失敗した場合、再生時間の表示を、正常再生時とは異なる時間間隔で擬似的に更新するようにしたものがある（例えば、特許文献１参照）。【０００７】
【特許文献１】特開２００６−３３１５５０号公報
【０００８】
従来のディスク再生装置は、上記のように構成されていたので、早送り再生または早戻し再生が開始され、図４のステップＳＴ３０１からステップＳＴ３０７の間で早送り再生または早戻し再生が解除された場合、光学ピックアップの移動先が再生位置から変化しないため、早送り再生または早戻し再生の要求とその解除が連続して繰り返された場合、光学ピックアップの位置がいつまでも変化しないという課題があった。また、音声がミュートされたままであり、時間情報も出力されないことから、スピーカから音声が全く出力されず、ディスプレイの表示時刻も変化しないという課題があった。また早送り再生要求があった場合、ステップＳＴ３０８の処理が終わるまで、ディスプレイの表示時刻が変化しないため、応答性が悪いという印象をユーザが抱くという課題があった。ここで、特許文献１に記載のものは、情報記憶媒体から情報の読み出しに失敗した場合についてのみ記載されているため、早送り再生処理とその解除が交互に要求された場合には同様の課題が生じる。【０００９】
この発明は、上記のような課題を解決するためになされたもので、早送り再生または早戻し再生の要求とその解除が連続して繰り返された場合に、光学ピックアップの位置が変化しなくなることを防止したディスク再生装置を得ることを目的とする。
【発明の開示】
【００１０】
この発明に係るディスク再生装置は、早送り再生要求または早戻し再生要求を受信すると、メモリから読み出され再生された情報がディスクに記憶されていた位置の近傍を光学ピックアップの移動先として目標アドレスの演算を行い、前記目標アドレスへ光学ピックアップを移動させることを特徴とする。
【００１１】
この発明によれば、早送り再生要求または早戻し再生要求を受信すると、メモリから読み出され再生された情報がディスクに記憶されていた位置の近傍を光学ピックアップの移動先として目標アドレスの演算を行い、前記目標アドレスへ光学ピックアップを移動させるようにしたので、早送り再生または早戻し再生の要求とその解除が連続して繰り返された場合に、光学ピックアップの位置が変化しなくなることを防止できるという効果がある。
【図面の簡単な説明】
【００１２】
【図１】この実施の形態１によるディスク再生装置の特徴となる構成を示した図である。
【図２】実施の形態１のディスク再生装置の早送り（戻し）再生処理時の動作を示したフローチャートである。
【図３】実施の形態２のディスク再生装置の早送り（戻し）再生処理解除時の動作を示したフローチャートである。
【図４】従来の音とび防止機能を備えたディスク再生装置の早送り（戻し）再生処理時の動作を示したフローチャートである。
【図５】従来の音とび防止機能を備えたディスク再生装置の早送り（戻し）再生解除時の動作を示したフローチャートである。
【発明を実施するための最良の形態】
【００１３】
以下、この発明をより詳細に説明するために、この発明を実施するための最良の形態について、添付の図面に従って説明する。
実施の形態１．
図１は、この実施の形態１によるディスク再生装置の特徴となる構成を示した図であり、この実施の形態１によるディスク再生装置は、光学ピックアップ２と、信号処理ＩＣ（Integrated Circuit）３と、ＣＰＵ（Central Processing Unit）９と、外部メモリ８とを備える。さらに信号処理ＩＣ３は内部に、信号復号手段４と、サブコード解析手段５と、サーボ６と、メモリコントローラ７とを備えており、ＣＰＵ９は内部に、時間情報処理手段１０と、サーチ目標演算手段１１と、メモリ１２と、サーチ制御手段１３とを備えている。なお、この実施の形態１では、時間を用いて光学ピックアップの移動先を演算する形態について説明する。【００１４】
光学ピックアップ２は、ディスク１に記憶されたＴＯＣ（Table of Contents）情報、音声情報等の読み出しを行う。信号復号手段４は、光学ピックアップ２で読み出された情報の復号を行う。サブコード解析手段５は、信号復号手段４で復号された情報のうち、時間に関する情報のサブコードの解析処理を行い、時間情報を取得する。この時間情報には、各トラックの始点からの絶対経過時間や曲番号を示す位置情報が含まれており、この時間情報に基づき、光学ピックアップ２のサーチ等が行われる。サーボ６は、光学ピックアップ２およびディスク１の駆動系（図示せず）の制御を行う。【００１５】
メモリコントローラ７は、信号復号手段４で復号された音声情報と、サブコード解析手段５で取得した時間情報とを対応付けて外部メモリ８へ書き込んで記憶する。また、メモリコントローラ７は、外部メモリ８に記憶された音声情報および時間情報を読み出して、前記音声情報を音声出力回路（図示せず）へ、時間情報をサブコード解析手段５、時間情報処理手段１０を経て表示手段（図示せず）へそれぞれ出力すると共に、読み出した音声情報および時間情報を外部メモリ８から消去（クリア）する。音声出力回路は、前記音声情報をＤ／Ａ（Digital/Analog）変換した後、増幅器により増幅してスピーカから音声として空中へ放射する。また、表示手段は、前記時間情報に基づき、再生時間をディスプレイに表示する。【００１６】
時間情報処理手段１０は、サブコード解析手段５で取得した時間情報の処理を行う。サーチ目標演算手段１１は、時間情報処理手段１０で処理された時間情報に基づき光学ピックアップ２の移動先である目標アドレスを演算する。ここで光学ピックアップ２の移動先は、早送り再生時は再生位置の近傍で、かつ任意時間進んだ位置が、早戻し再生時は再生位置の近傍で、かつ任意時間戻った位置が移動先の位置として演算される。メモリ１２は、時間情報処理手段１０で処理された時間情報を一時記憶する。サーチ制御手段１３は、操作部（図示せず）から早送り再生要求信号、または早戻し再生要求信号を受信するとサーチ目標演算手段１１へ目標アドレスの演算を指示し、該演算された目標アドレスへ光学ピックアップ２を移動（サーチ）させるようディスク制御手段１４へ指示する。ディスク制御手段１４は、サーチ制御手段１３の指示に基づきサーボ６の制御をしてサーチを行う。【００１７】
次に動作について説明する。
図２は、実施の形態１のディスク再生装置の早送り（戻し）再生処理時の動作を示したフローチャートである。サーチ制御手段１３は、早送り再生要求信号または早戻し再生要求信号を受信すると、サーチ目標演算手段１１へ、光学ピックアップ２の移動先の演算を指示する。サーチ目標演算手段１１は、サーチ制御手段１３から早送り再生要求が指示された場合、時間情報処理手段１０で処理された時間情報に基づき、再生位置から任意時間進んだ位置（以下、目標位置と記載）を光学ピックアップ２の移動先として演算し、サーチ制御手段１３から早戻し再生要求が指示された場合、時間情報処理手段１０で処理された時間情報に基づき、再生位置から任意時間戻った位置（以下、目標位置と記載）を光学ピックアップ２の移動先として演算する。【００１８】
次に、サーチ制御手段１３は、サーチ目標演算手段１１で演算された目標位置を光学ピックアップ２の移動先として設定し（ステップＳＴ１０１）、前記目標位置へ光学ピックアップ２を移動するようディスク制御手段１４へ指示する。ディスク制御手段１４は、サーチ制御手段１３からの指示を受信すると、メモリコントローラ７に外部メモリ８から読み出した音声情報の音声出力回路への出力の停止と、外部メモリ８に記憶された情報の消去を指示する。メモリコントローラ７は、ディスク制御手段１４の指示に基づき、音声出力回路への音声情報の出力を停止して音声のミュート設定を行い（ステップＳＴ１０３）、外部メモリ８に記憶された情報を消去する（ステップＳＴ１０４）。また、ディスク制御手段１４はサーボ６を制御して、光学ピックアップ２を前記目標位置へ移動（サーチ）する（ステップＳＴ１０５）。光学ピックアップ２は、前記目標位置へ移動が完了すると、ディスク１から情報の読み取りを開始する。【００１９】
次に信号復号手段４は、光学ピックアップ２が読み取った情報を復号して、復号された情報のうち音声情報をメモリコントローラ７へ出力する。メモリコントローラ７は、信号復号手段４から出力された音声情報と、サブコード解析手段５で取得された時間情報とを対応付けて外部メモリ８に書き込んで記憶する（ステップＳＴ１０６）。またメモリコントローラ７は、外部メモリ８に記憶された情報を読み出し（ステップＳＴ１０７）、音声のミュート設定を解除して、読み出した情報のうち音声情報を音声出力回路へ出力し、前記音声情報に対応付けられた時間情報を表示手段へ出力する（ステップＳＴ１０８）。【００２０】
次に、サーチ目標演算手段１１は、早送り再生を行っている場合、ステップＳＴ１０８で再生された音声が記憶された位置から任意時間進んだ位置を光学ピックアップ２の新たな移動先として演算し、早送り再生を行っている場合、ステップＳＴ１０８で再生された音声が記憶された位置から任意時間戻った位置を光学ピックアップ２の新たな移動先として演算する。次に、サーチ制御手段１３は、サーチ目標演算手段１１で演算された位置を光学ピックアップ２の移動先として設定し（ステップＳＴ１０９）、前記新たな移動先へ光学ピックアップ２を移動するようディスク制御手段１４へ指示する。ディスク制御手段１４は、サーチ制御手段１３の指示に基づき、メモリコントローラ７に外部メモリ８から読み出した音声情報の音声出力回路への出力の停止と、外部メモリ８に記憶された情報の消去を指示する。【００２１】
ここで、ステップＳＴ１０２とステップＳＴ１１０は、早送り再生処理または早戻し再生処理のループ端であり、早送り再生解除信号または早戻し再生解除信号を、サーチ制御手段１３が受信しない限り、この実施の形態１によるディスク再生装置は、ステップＳＴ１０２からステップＳＴ１１０までの処理を繰り返す。なお、早送り再生または早戻し再生の解除時の動作については従来のディスク再生装置と同じであるためその説明を省略する。【００２２】
以上のように、この実施の形態１によるディスク再生装置は、早送り再生要求信号または早戻し再生要求信号を受信した場合、再生位置とは異なる位置、すなわち、早送り再生要求信号を受信した場合、再生位置から任意時間進んだ位置を光学ピックアップ２の移動先として設定し、早戻し再生要求信号を受信した場合、再生位置から任意時間戻った位置を光学ピックアップ２の移動先として設定し、前記設定された位置へ光学ピックアップ２を移動するようにしたので、早送り再生または早戻し再生が開始され、ステップＳＴ１０１からステップＳＴ１０７の間で早送り再生または早戻し再生が解除される状態が連続して繰り返された場合でも、光学ピックアップ２の位置が変化するという効果がある。また、光学ピックアップ２の位置の変化に伴い、表示時刻も変化するので、応答性が悪いという印象をユーザが抱くこともない。なお、この実施の形態１では、図２のステップＳＴ１０８で、時間情報を表示手段へ出力するようにしたが、ステップＳＴ３０３の音声ミュート設定後に、時間情報を表示手段へ出力するようにしてもよい。このようにすれば、即座に、ディスプレイに表示された再生時間が更新されるため、ユーザに対する応答性が良くなるという効果がある。【００２３】
実施の形態２．
実施の形態１では、早送り再生要求信号または早戻し再生要求信号を受信した場合、再生位置の近傍を光学ピックアップ２の移動先として設定する形態について説明したが、この実施の形態２では、早送り再生解除信号または早戻し再生解除信号を受信した場合に、前記要求の受信時にメモリから読み出され再生された情報がディスクに記憶されていた位置（以下、解除位置と記載）から進んだ近傍位置を前記光学ピックアップ２の移動先に設定する形態について説明する。なお、この実施の形態２によるディスク再生装置の構成は、実施の形態１によるディスク再生装置と同じであるためその説明を省略する。また、この実施の形態２においても、時間を用いて光学ピックアップの移動先を演算する形態について説明する。【００２４】
次に動作について説明する。
図３は、実施の形態２のディスク再生装置の早送り（戻し）再生解除時の動作を示したフローチャートである。サーチ制御手段１３は、早送り再生解除信号または早戻し再生解除信号を受信すると、光学ピックアップ２の移動先の演算をサーチ目標演算手段１１へ指示する。次に、サーチ目標演算手段１１は、サーチ制御手段１３から早送り再生解除を指示された場合、光学ピックアップ２の移動先を解除位置の近傍で、かつ早送り方向に任意時間進めた位置（以下、解除時目標位置と記載）を光学ピックアップ２の移動先として演算し、早戻し再生解除を指示された場合、光学ピックアップ２の移動先を解除位置の近傍で、かつ早戻し方向に任意時間進めた位置（以下、解除時目標位置と記載）を光学ピックアップ２の移動先として演算する。【００２５】
次に、サーチ制御手段１３は、サーチ目標演算手段１１で演算された解除時目標位置を光学ピックアップ２の移動先として設定し（ステップＳＴ２０１）、前記解除時目標位置へ光学ピックアップ２を移動するようディスク制御手段１４へ指示する。ディスク制御手段１４は、サーチ制御手段１３からの指示を受信すると、メモリコントローラ７に外部メモリ８から読み出した音声情報の音声出力回路への出力の停止と、外部メモリ８に記憶された情報の消去を指示する。メモリコントローラ７は、ディスク制御手段１４の指示に基づき、音声出力回路への音声情報の出力を停止して音声のミュート設定を行い（ステップＳＴ２０２）、外部メモリ８に記憶された情報を消去する（ステップＳＴ２０３）。また、ディスク制御手段１４はサーボ６を制御して、光学ピックアップ２を前記解除時目標位置へ移動（サーチ）する（ステップＳＴ２０４）。光学ピックアップ２は、前記解除時目標位置へ移動が完了すると、ディスク１に記憶された情報の読み取りを開始する。【００２６】
次に信号復号手段４は、光学ピックアップ２が読み取った情報を復号して、復号された情報のうち音声情報をメモリコントローラ７へ出力する。メモリコントローラ７は、信号復号手段４から出力された音声情報と、サブコード解析手段５で取得された時間情報とを対応付けて外部メモリ８に書き込んで記憶する（ステップＳＴ２０５）。またメモリコントローラ７は、外部メモリ８に記憶された情報を読み出し（ステップＳＴ２０６）、音声のミュート設定を解除して、読み出した情報のうち音声情報を音声出力回路へ出力し、前記音声情報に対応付けられた時間情報を表示手段へ出力し（ステップＳＴ２０７）、通常の再生処理へ復帰する。【００２７】
以上のように、この実施の形態２によるディスク再生装置は、早送り再生解除信号を受信した場合、光学ピックアップ２の移動先を解除位置の近傍で、かつ早送り方向に任意時間進めた位置に設定し、早戻し再生解除信号を受信した場合、光学ピックアップ２の移動先を解除位置の近傍で、かつ早戻し方向に任意時間進めた位置に設定するようにしたので、実施の形態１と同様の効果がある。【００２８】
なお、上記実施の形態１、２では、光学ピックアップの移動先を、時間情報に基づき演算するようにしたが、光学ピックアップの位置に基づいて移動先を演算するようにしてもよい。
【産業上の利用可能性】
【００２９】
以上のように、この発明に係るディスク再生装置は、早送り再生または早戻し再生が要求されると、再生されていた情報が記憶されているディスクの位置の近傍に光学ピックアップを移動させるようにしたので、これらの要求と解除が連続して繰り返された場合の応答性が良く、音とび防止機能を備えた車載用のディスク再生装置などに用いるのに適している。
【図１】
2008152762.tif 000003
【図２】
2008152762.tif 000004
【図３】
2008152762.tif 000005
【図４】
2008152762.tif 000006
【図５】
2008152762.tif 000007
【手続補正書】
【提出日】平成21年5月20日(2009.5.20)
【手続補正１】
【補正対象書類名】明細書
【補正対象項目名】全文
【補正方法】変更
【補正の内容】
【書類名】      明細書
【発明の名称】  ディスク再生装置
【技術分野】
【０００１】
この発明は、音とび防止機能を備えたディスク再生装置に関する。
【背景技術】
【０００２】
従来のディスク再生装置は、装置の小型化や収容ディスクの多数枚化に伴う防振系の簡略化に起因するディスク再生時における音とびを防止するために、光学ピックアップによりディスクから読み出した情報を一旦外部メモリに記憶し、外部メモリに記憶した情報を読み出して再生するようにしている。このため、光学ピックアップがディスクに記憶された情報を読み取っている位置（以下、ピックアップ位置と記載）と、外部メモリから読み出され再生されている情報が前記ディスクに記憶されている位置（以下、再生位置と記載）とが異なり、ディスク再生時に早送り再生または早戻し再生の要求があると、一度光学ピックアップの位置を再生位置へ戻してから、早送り再生または早戻し再生の処理を開始する必要があった。
【０００３】
以下その動作について説明する。
図４は、従来の音とび防止機能を備えたディスク再生装置の早送り（早戻し）再生処理時の動作を示したフローチャートである。従来のディスク再生装置は、ユーザにより早送り再生または早戻し再生が要求されると、光学ピックアップの移動先を再生位置へ設定する（ステップＳＴ３０１）。次に、ディスク再生装置は、再生中の音声にミュート設定を行い（ステップＳＴ３０３）、外部メモリに記憶された情報を消去（クリア）する（ステップＳＴ３０４）。次に、ディスク再生装置は、移動先として設定した再生位置へ光学ピックアップを移動（サーチ）させ（ステップＳＴ３０５）、移動完了後にディスクに記憶された情報を読み取り外部メモリに書き込んで記憶する（ステップＳＴ３０６）。
【０００４】
次に、前記外部メモリに記憶された情報を読み出し（ステップＳＴ３０７）、音声のミュート設定を解除して音声を出力すると共に時間情報を出力する（ステップＳＴ３０８）。つぎに、早送り再生が要求された場合は、再生位置から一定時間進めた位置に光学ピックアップの移動先を設定し、早戻し再生が要求された場合は、再生位置から一定時間戻った位置に光学ピックアップの移動先を設定する（ステップＳＴ３０９）。ここで、ステップＳＴ３０２とステップＳＴ３１０は、早送り再生または早戻し再生処理のループ端であり、早送り再生または早戻し再生が解除されない限り、ディスク再生装置は、ステップＳＴ３０２からステップＳＴ３１０までの処理を繰り返す。
【０００５】
図５は、従来の音とび防止機能を備えたディスク再生装置の早送り（戻し）再生解除時の動作を示したフローチャートである。早送り再生または早戻し再生処理中に、早送り再生または早戻し再生の解除が要求されると、音声のミュート設定を行い（ステップＳＴ４０１）、外部メモリに記憶された情報を消去（クリア）する（ステップＳＴ４０２）。次に、ディスク再生装置は、移動先として設定された位置へ光学ピックアップを移動させ（ステップＳＴ４０３）、移動完了後にディスクに記憶された情報を読み取り外部メモリに書き込んで記憶する（ステップＳＴ４０４）。次に、ディスク再生装置は、前記外部メモリに記憶された情報を読み出し（ステップＳＴ４０５）、音声のミュート設定を解除して音声を出力すると共に時間情報を出力して（ステップＳＴ４０６）、通常の音声再生処理に復帰する。
【０００６】
また、従来のディスク再生装置には、ディスクから情報の読み出しに失敗すると、音声のミュートを設定し、読み取り可能な位置まで光学ピックアップを移動（サーチ）して、再生可能な位置から再度、情報の読み出しを行うようにしているが、前記サーチ中は、音声が出力されず、再生時間表示も更新されないため、ユーザが再生状況を把握できないという課題があった。このため、ディスクから情報の読み出しに失敗した場合、再生時間の表示を、正常再生時とは異なる時間間隔で擬似的に更新するようにしたものがある（例えば、特許文献１参照）。
【先行技術文献】
【特許文献】
【０００４】
【特許文献１】
特開２００６−３３１５５０号公報
【発明の概要】
【発明が解決しようとする課題】
【０００８】
従来のディスク再生装置は、上記のように構成されていたので、早送り再生または早戻し再生が開始され、図４のステップＳＴ３０１からステップＳＴ３０７の間で早送り再生または早戻し再生が解除された場合、光学ピックアップの移動先が再生位置から変化しないため、早送り再生または早戻し再生の要求とその解除が連続して繰り返された場合、光学ピックアップの位置がいつまでも変化しないという課題があった。また、音声がミュートされたままであり、時間情報も出力されないことから、スピーカから音声が全く出力されず、ディスプレイの表示時刻も変化しないという課題があった。また早送り再生要求があった場合、ステップＳＴ３０８の処理が終わるまで、ディスプレイの表示時刻が変化しないため、応答性が悪いという印象をユーザが抱くという課題があった。ここで、特許文献１に記載のものは、情報記憶媒体から情報の読み出しに失敗した場合についてのみ記載されているため、早送り再生処理とその解除が交互に要求された場合には同様の課題が生じる。
【０００９】
この発明は、上記のような課題を解決するためになされたもので、早送り再生または早戻し再生の要求とその解除が連続して繰り返された場合に、光学ピックアップの位置が変化しなくなることを防止したディスク再生装置を得ることを目的とする。
【課題を解決するための手段】
【００１０】
この発明に係るディスク再生装置は、光学ピックアップにより読み出された情報を一旦メモリに記憶し、メモリに記憶された情報を読み出して再生するディスク再生装置において、光学ピックアップで読み出された情報の復号を行う信号復号手段と、信号復号手段で復号された情報から時間情報の処理を行う時間情報処理手段と、早送り再生要求または早戻し再生要求を受信するサーチ制御手段と、サーチ制御手段が、いずれかの要求を受信した場合、時間情報処理手段で処理された時間情報に基づき、ディスクの再生位置の近傍位置を光学ピックアップの移動先として演算を行うサーチ目標演算手段と、光学ピックアップを駆動するサーボの制御を行うディスク制御手段とを備え、サーチ制御手段は、サーチ目標演算手段で演算された結果に基づき、ディスク制御手段へ光学ピックアップの移動を指示することを特徴とする。
【発明の効果】
【００１１】
この発明によれば、早送り再生要求または早戻し再生要求を受信すると、メモリから読み出され再生された情報がディスクに記憶されていた位置の近傍を光学ピックアップの移動先として目標アドレスの演算を行い、前記目標アドレスへ光学ピックアップを移動させるようにしたので、早送り再生または早戻し再生の要求とその解除が連続して繰り返された場合に、光学ピックアップの位置が変化しなくなることを防止できるという効果がある。
【図面の簡単な説明】
【００１２】
【図１】  この実施の形態１によるディスク再生装置の特徴となる構成を示した図である。
【図２】  実施の形態１のディスク再生装置の早送り（戻し）再生処理時の動作を示したフローチャートである。
【図３】  実施の形態２のディスク再生装置の早送り（戻し）再生処理解除時の動作を示したフローチャートである。
【図４】  従来の音とび防止機能を備えたディスク再生装置の早送り（戻し）再生処理時の動作を示したフローチャートである。
【図５】  従来の音とび防止機能を備えたディスク再生装置の早送り（戻し）再生解除時の動作を示したフローチャートである。
【発明を実施するための形態】
【００２５】
以下、この発明をより詳細に説明するために、この発明を実施するための最良の形態について、添付の図面にしたがって説明する。
【００１３】
以下、この発明をより詳細に説明するために、この発明を実施するための最良の形態について、添付の図面に従って説明する。
実施の形態１．
図１は、この実施の形態１によるディスク再生装置の特徴となる構成を示した図であり、この実施の形態１によるディスク再生装置は、光学ピックアップ２と、信号処理ＩＣ（Integrated Circuit）３と、ＣＰＵ（Central Processing Unit）９と、外部メモリ８とを備える。さらに信号処理ＩＣ３は内部に、信号復号手段４と、サブコード解析手段５と、サーボ６と、メモリコントローラ７とを備えており、ＣＰＵ９は内部に、時間情報処理手段１０と、サーチ目標演算手段１１と、メモリ１２と、サーチ制御手段１３とを備えている。なお、この実施の形態１では、時間を用いて光学ピックアップの移動先を演算する形態について説明する。
【００１４】
光学ピックアップ２は、ディスク１に記憶されたＴＯＣ（Table of Contents）情報、音声情報等の読み出しを行う。信号復号手段４は、光学ピックアップ２で読み出された情報の復号を行う。サブコード解析手段５は、信号復号手段４で復号された情報のうち、時間に関する情報のサブコードの解析処理を行い、時間情報を取得する。この時間情報には、各トラックの始点からの絶対経過時間や曲番号を示す位置情報が含まれており、この時間情報に基づき、光学ピックアップ２のサーチ等が行われる。サーボ６は、光学ピックアップ２およびディスク１の駆動系（図示せず）の制御を行う。
【００１５】
メモリコントローラ７は、信号復号手段４で復号された音声情報と、サブコード解析手段５で取得した時間情報とを対応付けて外部メモリ８へ書き込んで記憶する。また、メモリコントローラ７は、外部メモリ８に記憶された音声情報および時間情報を読み出して、前記音声情報を音声出力回路（図示せず）へ、時間情報をサブコード解析手段５、時間情報処理手段１０を経て表示手段（図示せず）へそれぞれ出力すると共に、読み出した音声情報および時間情報を外部メモリ８から消去（クリア）する。音声出力回路は、前記音声情報をＤ／Ａ（Digital/Analog）変換した後、増幅器により増幅してスピーカから音声として空中へ放射する。また、表示手段は、前記時間情報に基づき、再生時間をディスプレイに表示する。
【００１６】
時間情報処理手段１０は、サブコード解析手段５で取得した時間情報の処理を行う。サーチ目標演算手段１１は、時間情報処理手段１０で処理された時間情報に基づき光学ピックアップ２の移動先である目標アドレスを演算する。ここで光学ピックアップ２の移動先は、早送り再生時は再生位置の近傍で、かつ任意時間進んだ位置が、早戻し再生時は再生位置の近傍で、かつ任意時間戻った位置が移動先の位置として演算される。メモリ１２は、時間情報処理手段１０で処理された時間情報を一時記憶する。サーチ制御手段１３は、操作部（図示せず）から早送り再生要求信号、または早戻し再生要求信号を受信するとサーチ目標演算手段１１へ目標アドレスの演算を指示し、該演算された目標アドレスへ光学ピックアップ２を移動（サーチ）させるようディスク制御手段１４へ指示する。ディスク制御手段１４は、サーチ制御手段１３の指示に基づきサーボ６の制御をしてサーチを行う。
【００１７】
次に動作について説明する。
図２は、実施の形態１のディスク再生装置の早送り（戻し）再生処理時の動作を示したフローチャートである。サーチ制御手段１３は、早送り再生要求信号または早戻し再生要求信号を受信すると、サーチ目標演算手段１１へ、光学ピックアップ２の移動先の演算を指示する。サーチ目標演算手段１１は、サーチ制御手段１３から早送り再生要求が指示された場合、時間情報処理手段１０で処理された時間情報に基づき、再生位置から任意時間進んだ位置（以下、目標位置と記載）を光学ピックアップ２の移動先として演算し、サーチ制御手段１３から早戻し再生要求が指示された場合、時間情報処理手段１０で処理された時間情報に基づき、再生位置から任意時間戻った位置（以下、目標位置と記載）を光学ピックアップ２の移動先として演算する。
【００１８】
次に、サーチ制御手段１３は、サーチ目標演算手段１１で演算された目標位置を光学ピックアップ２の移動先として設定し（ステップＳＴ１０１）、前記目標位置へ光学ピックアップ２を移動するようディスク制御手段１４へ指示する。ディスク制御手段１４は、サーチ制御手段１３からの指示を受信すると、メモリコントローラ７に外部メモリ８から読み出した音声情報の音声出力回路への出力の停止と、外部メモリ８に記憶された情報の消去を指示する。メモリコントローラ７は、ディスク制御手段１４の指示に基づき、音声出力回路への音声情報の出力を停止して音声のミュート設定を行い（ステップＳＴ１０３）、外部メモリ８に記憶された情報を消去する（ステップＳＴ１０４）。また、ディスク制御手段１４はサーボ６を制御して、光学ピックアップ２を前記目標位置へ移動（サーチ）する（ステップＳＴ１０５）。光学ピックアップ２は、前記目標位置へ移動が完了すると、ディスク１から情報の読み取りを開始する。
【００１９】
次に信号復号手段４は、光学ピックアップ２が読み取った情報を復号して、復号された情報のうち音声情報をメモリコントローラ７へ出力する。メモリコントローラ７は、信号復号手段４から出力された音声情報と、サブコード解析手段５で取得された時間情報とを対応付けて外部メモリ８に書き込んで記憶する（ステップＳＴ１０６）。またメモリコントローラ７は、外部メモリ８に記憶された情報を読み出し（ステップＳＴ１０７）、音声のミュート設定を解除して、読み出した情報のうち音声情報を音声出力回路へ出力し、前記音声情報に対応付けられた時間情報を表示手段へ出力する（ステップＳＴ１０８）。
【００２０】
次に、サーチ目標演算手段１１は、早送り再生を行っている場合、ステップＳＴ１０８で再生された音声が記憶された位置から任意時間進んだ位置を光学ピックアップ２の新たな移動先として演算し、早送り再生を行っている場合、ステップＳＴ１０８で再生された音声が記憶された位置から任意時間戻った位置を光学ピックアップ２の新たな移動先として演算する。次に、サーチ制御手段１３は、サーチ目標演算手段１１で演算された位置を光学ピックアップ２の移動先として設定し（ステップＳＴ１０９）、前記新たな移動先へ光学ピックアップ２を移動するようディスク制御手段１４へ指示する。ディスク制御手段１４は、サーチ制御手段１３の指示に基づき、メモリコントローラ７に外部メモリ８から読み出した音声情報の音声出力回路への出力の停止と、外部メモリ８に記憶された情報の消去を指示する。
【００２１】
ここで、ステップＳＴ１０２とステップＳＴ１１０は、早送り再生処理または早戻し再生処理のループ端であり、早送り再生解除信号または早戻し再生解除信号を、サーチ制御手段１３が受信しない限り、この実施の形態１によるディスク再生装置は、ステップＳＴ１０２からステップＳＴ１１０までの処理を繰り返す。なお、早送り再生または早戻し再生の解除時の動作については従来のディスク再生装置と同じであるためその説明を省略する。
【００２２】
以上のように、この実施の形態１によるディスク再生装置は、早送り再生要求信号または早戻し再生要求信号を受信した場合、再生位置とは異なる位置、すなわち、早送り再生要求信号を受信した場合、再生位置から任意時間進んだ位置を光学ピックアップ２の移動先として設定し、早戻し再生要求信号を受信した場合、再生位置から任意時間戻った位置を光学ピックアップ２の移動先として設定し、前記設定された位置へ光学ピックアップ２を移動するようにしたので、早送り再生または早戻し再生が開始され、ステップＳＴ１０１からステップＳＴ１０７の間で早送り再生または早戻し再生が解除される状態が連続して繰り返された場合でも、光学ピックアップ２の位置が変化するという効果がある。また、光学ピックアップ２の位置の変化に伴い、表示時刻も変化するので、応答性が悪いという印象をユーザが抱くこともない。なお、この実施の形態１では、図２のステップＳＴ１０８で、時間情報を表示手段へ出力するようにしたが、ステップＳＴ３０３の音声ミュート設定後に、時間情報を表示手段へ出力するようにしてもよい。このようにすれば、即座に、ディスプレイに表示された再生時間が更新されるため、ユーザに対する応答性が良くなるという効果がある。
【００２３】
実施の形態２．
実施の形態１では、早送り再生要求信号または早戻し再生要求信号を受信した場合、再生位置の近傍を光学ピックアップ２の移動先として設定する形態について説明したが、この実施の形態２では、早送り再生解除信号または早戻し再生解除信号を受信した場合に、前記要求の受信時にメモリから読み出され再生された情報がディスクに記憶されていた位置（以下、解除位置と記載）から進んだ近傍位置を前記光学ピックアップ２の移動先に設定する形態について説明する。なお、この実施の形態２によるディスク再生装置の構成は、実施の形態１によるディスク再生装置と同じであるためその説明を省略する。また、この実施の形態２においても、時間を用いて光学ピックアップの移動先を演算する形態について説明する。
【００２４】
次に動作について説明する。
図３は、実施の形態２のディスク再生装置の早送り（戻し）再生解除時の動作を示したフローチャートである。サーチ制御手段１３は、早送り再生解除信号または早戻し再生解除信号を受信すると、光学ピックアップ２の移動先の演算をサーチ目標演算手段１１へ指示する。次に、サーチ目標演算手段１１は、サーチ制御手段１３から早送り再生解除を指示された場合、光学ピックアップ２の移動先を解除位置の近傍で、かつ早送り方向に任意時間進めた位置（以下、解除時目標位置と記載）を光学ピックアップ２の移動先として演算し、早戻し再生解除を指示された場合、光学ピックアップ２の移動先を解除位置の近傍で、かつ早戻し方向に任意時間進めた位置（以下、解除時目標位置と記載）を光学ピックアップ２の移動先として演算する。
【００２５】
次に、サーチ制御手段１３は、サーチ目標演算手段１１で演算された解除時目標位置を光学ピックアップ２の移動先として設定し（ステップＳＴ２０１）、前記解除時目標位置へ光学ピックアップ２を移動するようディスク制御手段１４へ指示する。ディスク制御手段１４は、サーチ制御手段１３からの指示を受信すると、メモリコントローラ７に外部メモリ８から読み出した音声情報の音声出力回路への出力の停止と、外部メモリ８に記憶された情報の消去を指示する。メモリコントローラ７は、ディスク制御手段１４の指示に基づき、音声出力回路への音声情報の出力を停止して音声のミュート設定を行い（ステップＳＴ２０２）、外部メモリ８に記憶された情報を消去する（ステップＳＴ２０３）。また、ディスク制御手段１４はサーボ６を制御して、光学ピックアップ２を前記解除時目標位置へ移動（サーチ）する（ステップＳＴ２０４）。光学ピックアップ２は、前記解除時目標位置へ移動が完了すると、ディスク１に記憶された情報の読み取りを開始する。
【００２６】
次に信号復号手段４は、光学ピックアップ２が読み取った情報を復号して、復号された情報のうち音声情報をメモリコントローラ７へ出力する。メモリコントローラ７は、信号復号手段４から出力された音声情報と、サブコード解析手段５で取得された時間情報とを対応付けて外部メモリ８に書き込んで記憶する（ステップＳＴ２０５）。またメモリコントローラ７は、外部メモリ８に記憶された情報を読み出し（ステップＳＴ２０６）、音声のミュート設定を解除して、読み出した情報のうち音声情報を音声出力回路へ出力し、前記音声情報に対応付けられた時間情報を表示手段へ出力し（ステップＳＴ２０７）、通常の再生処理へ復帰する。
【００２７】
以上のように、この実施の形態２によるディスク再生装置は、早送り再生解除信号を受信した場合、光学ピックアップ２の移動先を解除位置の近傍で、かつ早送り方向に任意時間進めた位置に設定し、早戻し再生解除信号を受信した場合、光学ピックアップ２の移動先を解除位置の近傍で、かつ早戻し方向に任意時間進めた位置に設定するようにしたので、実施の形態１と同様の効果がある。
【００２８】
なお、上記実施の形態１、２では、光学ピックアップの移動先を、時間情報に基づき演算するようにしたが、光学ピックアップの位置に基づいて移動先を演算するようにしてもよい。
【００２９】
以上のように、この発明に係るディスク再生装置は、早送り再生または早戻し再生が要求されると、再生されていた情報が記憶されているディスクの位置の近傍に光学ピックアップを移動させるようにしたので、これらの要求と解除が連続して繰り返された場合の応答性が良く、音とび防止機能を備えた車載用のディスク再生装置などに用いるのに適している。
【手続補正２】
【補正対象書類名】特許請求の範囲
【補正対象項目名】全文
【補正方法】変更
【補正の内容】
【特許請求の範囲】
【請求項１】
光学ピックアップにより読み出された情報を一旦メモリに記憶し、前記メモリに記憶された情報を読み出して再生するディスク再生装置において、
前記光学ピックアップで読み出された情報の復号を行う信号復号手段と、
前記信号復号手段で復号された情報から時間情報の処理を行う時間情報処理手段と、
早送り再生要求または早戻し再生要求を受信するサーチ制御手段と、
前記サーチ制御手段が、前記いずれかの要求を受信した場合、前記時間情報処理手段で処理された時間情報に基づき、前記ディスクの再生位置の近傍位置を前記光学ピックアップの移動先として演算を行うサーチ目標演算手段と、
前記光学ピックアップを駆動するサーボの制御を行うディスク制御手段とを備え、
前記サーチ制御手段は、前記サーチ目標演算手段で演算された結果に基づき、前記ディスク制御手段へ前記光学ピックアップの移動を指示することを特徴とするディスク再生装置。
【請求項２】
前記サーチ目標演算手段は、前記サーチ制御手段が早送り再生要求を受信した場合、再生位置の近傍で任意時間進んだ位置を前記光学ピックアップの移動先として演算を行うことを特徴とする請求項１記載のディスク再生装置。
【請求項３】
前記サーチ目標演算手段は、前記サーチ制御手段が早戻し再生要求を受信した場合、再生位置の近傍で任意時間戻った位置を前記光学ピックアップの移動先として演算を行うことを特徴とする請求項１記載のディスク再生装置。
【国際調査報告】
2008152762.tif 000008
2008152762.tif 000009